(57)【要約】      （修正有）【課題】クローザ付きドアを開放するためのスイングタイプのドアストッパにおいて、足による操作でストッパの上げ下げするのではなく、手操作のみで簡単に操作できるドアストッパを提供する。【解決手段】クローザ付きドアを開放維持するためのスイングタイプのドアストッパにおいて、ドアノブの近傍下部に設けるストッパ本体１と、このドアストッパ本体１の上部に紐折り返し機構部５を設け、ストッパ本体１に設けられたスイング部２と錘３が紐４により紐折り返し機構部５を介して接続し、錘３とスイング部２の間の紐４には手操作により上下する操作部６を連結することにより、手操作のみで簡単にドアストッパを操作できる。【選択図】図１
2011080217.tif 000002
【特許請求の範囲】
【請求項１】
クローザ付きドアを開放維持するために、上下に回転スイングする機構で下降した状態では床面に当接するスイング部を有するドアストッパにおいて、ドアノブの下部に設けるストッパ本体と、このドアストッパ本体の上部に紐折り返し機構部を設け、ストッパ本体に設けられた前記スイング部と錘が紐により紐折り返し機構部を介して接続され、前記錘と前記スイング部の間の紐には手操作により上下する操作部が連結されていることを特徴とするドアストッパ。
【請求項２】
前記ドアストッパにおいて、前記操作部が前記スイング部を下降状態に維持する位置に固定させる操作部止め部を設けていることを特徴とする請求項１に記載のドアストッパ。
【請求項３】
前記スイング部と前記紐折り返し機構部の間には、スイング部を持ち上げるための紐の向きを変えるための紐ガイドを設けていることを特徴とする請求項１及び２に記載のドアストッパ。
【請求項４】
前記スイング部を最上段に持ち上げた時のスイング部の重心位置が、スイング部の回転中心軸に対して、水平方向でドアのある側とは逆方向にあるように前記回転中心軸の上部に前記スイング部を停止させる上段ストッパを設けていることを特徴とする請求項１〜３に記載のドアストッパ。
【請求項５】
前記操作部において、手操作により操作部があらかじめ定めた軌道上を上下に動くようにガイドするガイドレールを設けていることを特徴とする請求項１〜４に記載のドアストッパ。
【請求項６】
前記操作部止め部が、前記ガイドレールに設けられた前記操作部を掛り止めするための凹構造、もしくは、操作部を磁石の力で連結する構造のいずれかであることを特徴とする請求項５に記載のドアストッパ。
【請求項７】
少なくとも前記錘と前記紐折り返し機構部が、ドア本体に内蔵されている請求項１〜６に記載のドアストッパ。
【発明の詳細な説明】
【技術分野】
【０００１】
本発明は、クローザ付きドアを開放維持するために回転し下降した状態では床面に当接するスイング部を有するドアストッパにおいて、足による操作でストッパの上げ下げするのではなく、手操作のみで簡単に操作できるドアストッパに関するものである。  
【背景技術】
【０００２】
家庭や事務室の玄関に設けたドアにはオイルでドアを自動的に閉めるドアックローザが設けられている。従って、ドアの内側下面には油圧シリンダーの力を克服してドアの開放状態を維持する為のドアストッパが必要である。
従来のドアストッパは、床面に当接させるスイング部を、直接、足の先端で上げ下げすることで、ストッパを操作するのが一般的である。
【先行技術文献】
【特許文献】
【０００３】
【特許文献１】特開平９−３２４５７５号公報
【特許文献２】特開平１０−２４６０５４号公報
【特許文献３】実開昭６１−１１５４７２号公報
【発明の概要】
【発明が解決しようとする課題】
【０００４】
しかしながら、ドアを閉める時は、一度ストッパ位置までわざわざ移動してからスイング部を足の先端で押し上げるという動作を行わなければならず、当たり前の動作になってはいるが、良く考えると無駄な動作が発生していた。また、日常生活において、玄関先でお客さんと話をする時に、ドアストッパでドアを開けた状態で話をするシーンをよく見かける。話が終わってお客さんが帰られるとき、お客さんはドアを閉めるために、足先での操作をためらって、腰を屈めてわざわざ手でストッパを外されることがあり、このようなときは特に不便さを感じさせる。
【０００５】
本発明は、従来の技術が有するこのような問題点に鑑みてなされたものであり、その目的とするところは、足操作をなくして手操作のみで簡単にドアストッパを上げたり下げたりすることが出来る使い勝手の良いドアストッパを提供するものである。
【課題を解決するための手段】
【０００６】
前記の課題を解決するために、具体的には、本発明にかかる第１の態様では、クローザ付きドアを開放維持するために、上下に回転スイングする機構で下降した状態では床面に当接するスイング部を有するドアストッパにおいて、ドアノブの下部に設けるストッパ本体と、このドアストッパ本体の上部に紐折り返し機構部を設け、ストッパ本体に設けられた前記スイング部と錘が紐により紐折り返し機構部を介して接続され、前記錘と前記スイング部の間の紐には手操作により上下する操作部が連結されている構成とする。
【０００７】
前記の構成によると、前記ドアストッパを解除させるとき、錘の自重により下方向に働く力は、ドアストッパ本体が紐により前記紐折り返し機構部を介して錘と連結することで、前記スイング部に対して上方向へ持ち上げる力として効かせることにより、スイング部を上にあげることが出来るようになる。また、ドアストッパを掛けるとき、前記操作部を下にさげることでスイング部に働いていた紐の張力はなくなり、よってスイング部は自重により床に向かって回転しながら下がる。
【０００８】
本発明にかかる第２の態様では、前記操作部が前記スイング部を下降状態に維持する位置に固定させる操作部止め部を設けている構成とする。
前記の構成によると、前記操作部を下へさげて操作部を前記操作部止め部に止めることで、手を操作部から離しても操作部の位置は保持されるので、前記錘の自重によってスイング部を上にあげようとする力は阻止されて、スイング部は床まで下がったままの状態を保持することができる。
特に風が強い日で、室内側から玄関外側へ強い風が通り抜ける場合は、ドアに風の力が働き、ドアを開ける方向に少し動いてしまうことが考えられる。操作部止め部がない場合は、この時、スイング部と床との摩擦力が開放されるため、スイング部は前記錘の力で勝手に上にあがり、よってクローザ機能により勝手にドアが閉まってしまう恐れがある。操作部止め部を設けることで、スイング部は勝手に上がることはなくなる。
【０００９】
本発明にかかる第３の態様では、前記スイング部と前記紐折り返し機構部の間には、スイング部を持ち上げるための紐の向きを変えるための紐ガイドを設けている構成とする。
前記の構成によると、前記紐が、ドアに対して人が立つ前方側に張り出すと、ドア開閉時に紐が手や足に引っ掛かり易くなり、危険である。前記紐ガイドをドアストッパ本体の上部に設けることで、スイング部を上にあげるのに必要な張力を確保しつつ、紐の前方側への張り出し部分を少なくさせることが可能となり、引っ掛かりによる危険を抑制することが可能となる。
【００１０】
本発明にかかる第４の態様では、前記スイング部を最上段に持ち上げた時のスイング部の重心位置が、スイング部の回転中心軸に対して、水平方向でドアのある側とは逆方向にあるように前記回転中心軸の上部に前記スイング部を停止させる上段ストッパを設けている構成とする。
前記の構成によると、前記操作部を操作して前記スイング部を降ろすときに、スイング部の重心とスイング部の回転中心軸との位置関係によってはスイング部が最上段で安定してしまって回転運動を起こすことができず、ドアストッパが下がらないという問題が起こる。この問題を避けるために、前記上段ストッパによりスイング部の重心位置を上記のように設定することで、前記錘により上方向に持ち上げようとする紐の張力がなくなった時にスイング部が不安定となり、スイング部の自重により床方向への回転運動を確実に行うことができるようになる。
【００１１】
本発明にかかる第５の態様では、前記操作部において、手操作により操作部をあらかじめ定めた軌道上を上下に動くようにガイドするガイドレールを設けている構成とする。
前記の構成によると、前記操作部の軌道を前記ガイドレールでガイドすることで、予め決めた軌道上を安定して操作部が動かせるようになるため、前記紐が絡み難くなり、更に、前記操作部止め部への位置決めも容易に行えるようになる。
【００１２】
本発明にかかる第６の態様では、前記操作部止め部が、前記ガイドレールに設けられた前記操作部を掛り止めするための凹構造、もしくは、操作部を磁石の力で連結する構造のいずれかを用いている構成とする。
前記操作部止め部を凹構造、もしくは、操作部を磁石の力で連結する構造とすることで、手操作により簡単な動作でかつ確実に、前記操作部を掛り止めできるようになる。
【００１３】
本発明にかかる第７の態様では、少なくとも前記錘と前記紐折り返し機構部が、ドア本体に内蔵されている構成とする。
前記の構成によると、前記ドアストッパを構成している構造の一部をドアの内側に隠すことが出来るため、ドア外観の見栄えをシンプルにすることができるようになる。
【発明の効果】
【００１４】
以上に説明したように、本発明によれば、ドアストッパを手操作のみで簡単に掛けたり外したりすることが出来るようになる。
【図面の簡単な説明】
【００１５】
【図１】第１の実施の形態のドアストッパの構造図
【図２】第１の実施の形態のドアストッパの斜視図
【図３】第２の実施の形態のドアストッパの構造図
【図４】第３の実施の形態のドアストッパの構造図
【図５】第４の実施の形態のドアストッパをドア側面から見た断面図
【図６】第４の実施の形態のドアストッパをドア正面から見た正面図
【図７】第１の実施の形態のドアストッパの紐折り返し機構部を動滑車を有する複合滑車としている構造図
【図８】スイング部を最上段に持ち上げた時のスイング部の重心とスイング部の回転中心軸との位置関係を示めす側面図
【発明を実施するための形態】
【００１６】
この発明の実施形態について、図面を参考にしながら詳細に説明する。
【００１７】
第１の実施の形態
図１は、第１の実施の形態のドアストッパの構造図であり、図２は、第１の実施の形態の斜視図である。
図１及び図２に示すように、ドアストッパ本体１の上部に紐折り返し機構部５を設け、ドアストッパ本体１に設けられたスイング部２と錘３が紐４によって紐折り返し機構部５を介して接続され、錘３とスイング部２の間の紐４には手操作により上下する操作部６が連結されている。
【００１８】
前記紐４は、ナイロン糸、ポリエステル糸のような樹脂製のものや、ワイヤや針金といった金属製のもの、麻や綿などの天然素材製のいずれも対象として含んでおり、素材には限定されない。
【００１９】
前記操作部６が前記スイング部２を下降状態に維持する位置に固定される操作部止め部７を設けている。
前記操作部止め部７は、前記ガイドレールに設けられた前記操作部を、手操作により簡単な動作でかつ確実に掛り止めできる凹構造としている。
【００２０】
前記スイング部２と前記紐折り返し機構部５の間には、スイング部２を持ち上げるための紐の向きを変えるための紐ガイド８を設けている。
【００２１】
前記紐折り返し機構部５には滑車を、また前記紐ガイド８にはピンを用いているが、紐折り返し機構部５、紐ガイド８いずれにおいても、滑車、ピンに代用することができ、また、この他にも前記紐４との摩擦抵抗を小さくし、かつ、紐の方向を切り換えることができる機構を有していれば代用することができる。
【００２２】
前記操作部６の設置位置は、繋いでいる前記紐４に対して、前記折り返し機構５と前記紐ガイド８の間の範囲内に設けられている。
【００２３】
前記紐ガイド８の配置位置は、ドアストッパを解除して前記スイング部２を上にあげた状態にした時のスイング部２に前記紐４を繋いでいる連結点よりも、上方に配置させている。紐の張力によりスイング部２をスムーズに上にあげるためには、上方に配置させるのが効果的なためである。
一方で、前記紐ガイド８を上方に配置し過ぎると、ドア１１側から人の立つ方向に紐４が出っ張ってしまう部分が増すため、紐４が手や足、持っている荷物などに引っ掛かる問題が起こり易くなる。この引っ掛かりを避けるために、紐ガイド８の配置位置は、前記スイング部２を上にあげた状態にした時のスイング部２に前記紐４を繋いでいる連結点に対して、上方に100mmの範囲内に収めることが好ましい。
【００２４】
前記紐４において、前記スイング部２を上げ下げした時に前記紐折り返し機構部５  前記紐ガイド８に直接接触しない部分に関しては、硬質な棒状の金属ロットやプラスチックロット、チェーンに一部を代用させることができる。
【００２５】
前記スイング部２には、最上段に持ち上げた時のスイング部２の重心１７が、スイング部の回転中心軸１４に対して、水平方向でドア１１のある側とは逆方向１８にあるように上段ストッパ１０が設けられている。図８は、上記の位置関係を表わす側面図である。
【００２６】
前記操作部６には、手操作により操作部６をあらかじめ定めた軌道上を動くように、ガイドレール９が設けられている。前記ガイドレール９の長さは、前記スイング部２を上にあげた状態から、床１２に降ろしてドアストッパを機能させるのに必要な長さ以上の長さが確保されている。
【００２７】
前記操作部止め部７の設置位置は、前記ガイドレール９の下部に設定している。
【００２８】
前記錘３は、ドア開閉時に振り子のようにぶらぶら揺れないようにするため、錘ガイド部１３を設けて、錘ガイド部１３の中に錘３を配置させることで揺れ防止をしている。
【００２９】
前記錘３の重量Ｗ１と前記スイング部２の重量Ｗ２により前記紐４に作用する張力Ｔ２との力の大きさの関係が、Ｗ１＞Ｔ２  であるように設定している。
なお、張力Ｔ２を極力小さくさせるために、紐４はできるだけスイング部２の先端側に接続した方が良い。
【００３０】
一方、ドア１１へかかる荷重の負荷をできるだけ小さくさせたいケースでは、動滑車を用いるのが効果的である。図７は、前記紐折り返し機構部５に動滑車１６を有する複合滑車としている構造図である。
前記錘３の重量Ｗ１は、前記動滑車１６を用いることにより、
Ｗ１＞（１÷２）ｎ×Ｔ２
とすることが可能であり、より軽い錘でも前記スイング部２を引き上げることできるようになる。なお、ｎ は動滑車の数である。
【００３１】
第１の実施の形態の構成部品は、ドア１１に組み付ける時に両面テープや磁石などで容易に後付けし易くするために、ばらばらに独立したパーツではなく一体化させている。
【００３２】
次に、ドアストッパを機能させる時の手順及びメカニズムを、以下に記す。
まず、前記操作部６を引き下げることにより、前記スイング部２に作用していた前記紐４の上方向の張力がなくなり、スイング部２は自重によって床１２まで下がる。操作部６を前記操作部止め部７に止めることで、手を操作部６から離しても、前記錘３によってスイング部２を引き上げようとする力は阻止されて、スイング部２は床１２まで下がったままの状態を保持することができる。
ドア１１を開放したい位置まで開けるタイミングは、前記に記したスイング部２を下げる操作を行った後にドア１１を開ける、という後開けのタイミングで行っても良いし、ドア１１を開けた後に前記に記したスイング部２を下げる操作を行う、という先開けのタイミングで行っても良い。
【００３３】
次に、ドアストッパを解除させる時の手順及びメカニズムを、以下に記す。
まず、前記操作部６を操作して前記操作部止め部７から操作部６を外した後、ドア１１を開く方向へ押すことにより、スイング部２と床１２との間の摩擦抵抗が緩和され、この時、前記錘３の自重の働きによりスイング部２は上に持ち上がり、後はドア１１から手を放すことでクローザ機能によりドア１１は閉まる。
【００３４】
第２の実施の形態
図３は、本発明の第２の実施の形態のドアストッパの構造図である。
第２の実施の形態は、第１の実施の形態の構成と基本的に同一であるが、前記操作部６と操作部止め部７の設定位置が異なる。
前記操作部６の設定位置は、繋いでいる前記紐４に対して、前記錘３と前記紐折り返し機構部５の間の範囲内に設定している。
【００３５】
前記操作部止め部７の設定位置は、前記ガイドレール９の上部に設定している。
【００３６】
ドアストッパを機能させる時は、以下の手順及びメカニズムとなる。
まず、前記操作部６を引き上げることにより、前記スイング部２に作用していた前記紐４の上方向の張力がなくなり、スイング部２は自重によって床１２まで下がる。操作部６を前記操作部止め部７に止めることで、手を操作部６から離しても、前記錘３によってスイング部２を引き上げようとする力は阻止されて、スイング部２は床１２まで下がったままの状態を維持することができる。
【００３７】
ドアストッパを解除させる時の手順及びメカニズムについては、第１の実施の形態と同一である。
【００３８】
第３の実施の形態
図４は、本発明の前記操作部６と前記操作部止め部７のどちらか一方に磁石を用いて他方に鉄を用いるか、または両方に磁石を用いる場合の第３の実施の形態のドアストッパの構造図である。
以下に、第１の実施の形態で示している前記操作部６を下に降ろすことにより前記スイング部２が下がる形態を例にとり、当形態に前記磁石を用いたときの構造について説明する。
操作部止め部７は、第１の実施の形態、第２の実施の形態に示しているように形状構造の工夫で掛り止めできる構造とする他に、図４に示すように、操作部止め部７、前記操作部６のどちらか一方に磁石を用いて他方に鉄を用いるか、または両方に磁石を用いることで、磁力により操作部６を止めることができる。
【００３９】
磁石を用いる場合、以下の条件を満たすように設定する。
操作部止め部７は、操作部６をＳｔｅｐ１の位置まで降ろしたとき当接する位置に設定する。前記磁力の強さは、操作部６がＳｔｅｐ１の位置にある時に前記錘３の自重によりスイング部２を上に持ち上げる力よりも大きくする。前記操作部６をＳｔｅｐ２の位置にすることで、前記紐４は遊びがなく張った状態で、前記スイング部２が床１２にちょうど当接するように設定する。また、Ｓｔｅｐ２の設定位置は、操作部止め部７との間で発生する磁力が錘３の自重により上に持ち上げようとする力よりも充分に小さくなるように、Ｓｔｅｐ１の位置から上方に離した位置とする。Ｓｔｅｐ１からＳｔｅｐ２までは、紐の遊び代となる。Ｓｔｅｐ１の位置において、操作部６は、操作部止め部７との間で発生する磁力により連結する。
【００４０】
ドアストッパを機能させる時の手順については、第１の実施の形態と同一である。
【００４１】
ドアストッパを解除させる時の手順及びメカニズムを、以下に記す。
まず、Ｓｔｅｐ１の位置で前記操作部止め部７に止まっている前記操作部６を指で動かして、Ｓｔｅｐ２の位置まで移動させる。次に、操作部６から指を離すと、前記錘３の自重の働きにより、紐の遊び代がない状態のまま操作部６はＳｔｅｐ２の位置を保持する。なお、この時のスイング部２は、スイング部２と床１２との間の摩擦抵抗により、床１２に当接したままである。次にドア１１を開く方向へ押すことにより、スイング部２と床１２との間の摩擦抵抗が緩和され、この時、錘３の自重の働きによりスイング部２は上に持ち上がり、後はドア１１から手を放すことでクローザ機能によりドア１１は閉まる。この時、操作部６はＳｔｅｐ３の位置に移動する。
【００４２】
第４の実施の形態
図５は、本発明の第４の実施の形態のドアストッパをドア側面から見た断面図であり、図６は、ドアストッパをドア正面から見た正面図である。
ドアストッパを構成している前記錘３と前記紐折り返し機構部５をドア１１の内部に配置させた事例の一例であり、これによりドア外観のシンプルな見栄えを実現させている。
【００４３】
ドアストッパの部品構成、構造及び操作手順は、基本的に第１〜３の実施の形態の内容と同様である。
【産業上の利用可能性】
【００４４】
以上説明したように、クローザ付きドアを開放するためのスイングタイプのドアストッパにおいて、足操作をなくして手操作のみで簡単にドアストッパを上げたり下げたりすることが出来る使い勝手の良いドアストッパとして利用できる。
【符号の説明】
【００４５】
1  ドアストッパ本体
2  スイング部
3  錘
4  紐
5  紐折り返し機構部
6  操作部
7  操作部止め部
8  紐ガイド
9  ガイドレール
10  上段ストッパ
11  ドア
12  床
13  錘ガイド部
14  スイング部の回転中心軸
15  ドアノブ
16  動滑車
17  スイング部の重心
18  スイング部を最上段に持ち上げた時のスイング部の回転中心軸に対して水平方向でドアのある側とは逆方向
【図１】
2011080217.tif 000003
【図２】
2011080217.tif 000004
【図３】
2011080217.tif 000005
【図４】
2011080217.tif 000006
【図５】
2011080217.tif 000007
【図６】
2011080217.tif 000008
【図７】
2011080217.tif 000009
【図８】
2011080217.tif 000010